【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
アプリケーションをインストール可能な情報処理装置に、
画像形成装置を選択する選択工程と、
前記選択工程で選択された画像形成装置の情報を取得する取得工程と、
前記取得工程で取得された前記画像形成装置の情報に基づいて、前記画像形成装置用に利用可能なアプリケーションを提示する提示工程と、
を実行させるための制御プログラムであって、
前記提示工程では、前記情報処理装置にインストールされているアプリケーションを示す表示アイテムとともに、前記情報処理装置にインストールされていないアプリケーションを示す表示アイテムを提示することを特徴とする制御プログラム。
【請求項２】
前記取得工程では、前記画像形成装置と通信して前記画像形成装置の情報を取得し、
前記提示工程では、アプリケーションと、前記アプリケーションに関係する画像形成装置と、該アプリケーションを利用するために前記画像形成装置に必要とされる機能に関する情報との対応を示す第１の対応表と、前記画像形成装置の情報とに基づいて前記画像形成装置のために利用可能なアプリケーションを提示することを特徴とする請求項１に記載の制御プログラム。
【請求項３】
前記取得工程では、前記画像形成装置から、前記画像形成装置の情報に加えて、前記画像形成装置に関係するアプリケーションと該アプリケーションを利用するために前記画像形成装置に必要な機能に関する情報との対応を示す第２の対応表を取得し、
前記制御プログラムは、前記第２の対応表が前記第１の対応表よりも新しい場合に、前記第１の対応表に前記第２の対応表をマージする更新工程を前記情報処理装置に更に実行させることを特徴とする請求項２に記載の制御プログラム。
【請求項４】
前記取得工程では、ネットワーク上のサーバから、前記画像形成装置に関係するアプリケーションと該アプリケーションを利用するために前記画像形成装置に必要な機能に関する情報との対応を示す第２の対応表を取得し、
前記制御プログラムは、前記第２の対応表が前記第１の対応表よりも新しい場合に、前記第１の対応表に前記第２の対応表をマージする更新工程を前記情報処理装置に更に実行させることを特徴とする請求項２に記載の制御プログラム。
【請求項５】
前記第１の対応表または前記第２の対応表には、前記アプリケーションを提供する提供元のアドレスが更に含まれることを特徴とする請求項３乃至４のいずれか一項に記載の制御プログラム。
【請求項６】
前記画像形成装置は、複数の機能を有する多機能周辺装置であり、前記アプリケーションは、前記複数の機能を前記情報処理装置から利用するためのアプリケーションであることを特徴とする請求項１乃至５のいずれか一項に記載の制御プログラム。
【請求項７】
前記提示工程では、前記情報処理装置にインストールされているアプリケーションを示す表示アイテムの表示形式と、前記情報処理装置にインストールされていないアプリケーションを示す表示アイテムの表示形式とを異ならせて提示することを特徴とする請求項１乃至６のいずれか一項に記載の制御プログラム。
【請求項８】
前記提示工程で提示される前記情報処理装置にインストールされていないアプリケーションを示す表示アイテムが選択されたことに応じて、当該表示アイテムに対応するアプリケーションをインストールするための画面を表示する表示工程を前記情報処理装置に更に実行させることを特徴とする請求項１乃至７のいずれか一項に記載の制御プログラム。
【請求項９】
前記提示工程で提示される前記情報処理装置にインストールされているアプリケーションを示す表示アイテムが選択されたことに応じて、当該表示アイテムに対応するアプリケーションを起動する起動工程を前記情報処理装置に更に実行させることを特徴とする請求項１乃至８のいずれか一項に記載の制御プログラム。
【請求項１０】
請求項１乃至９のいずれか一項に記載の制御プログラムを実行する情報処理装置と、前記情報処理装置に対して前記情報を提供する画像形成装置と、をネットワーク接続したことを特徴とするネットワークシステム。
【請求項１１】
アプリケーションをインストール可能な情報処理装置におけるアプリケーションの提示方法であって、
画像形成装置を選択する選択工程と、
前期選択工程で選択された画像形成装置の情報を取得する取得工程と、
前記取得工程で取得された前記画像形成装置の情報に基づいて、前記画像形成装置用に利用可能なアプリケーションを提示する提示工程と、
を有し、
前記提示工程では、前記情報処理装置にインストールされているアプリケーションを示す表示アイテムとともに、前記情報処理装置にインストールされていないアプリケーションを示す表示アイテムを提示することを特徴とする提示方法。
【請求項１２】
アプリケーションをインストール可能な情報処理装置であって、
画像形成装置を選択する選択手段と、
前期選択手段により選択された画像形成装置の情報を取得する取得手段と、
前記取得手段により取得された前記画像形成装置の情報に基づいて、前記画像形成装置用に利用可能なアプリケーションを提示する提示手段と、
を有し、
前記提示手段は、前記情報処理装置にインストールされているアプリケーションを示す表示アイテムとともに、前記情報処理装置にインストールされていないアプリケーションを示す表示アイテムを提示することを特徴とする情報処理装置。
【請求項１３】
アプリケーションをインストール可能な情報処理装置に、
画像形成装置を選択する選択工程と、
選択された画像形成装置が有する機能情報を取得する取得工程と、
前記取得工程で取得された前記画像形成装置が有する機能情報に基づいて、前記画像形成装置用に利用可能なアプリケーションを提示する提示工程と、
を実行させるための制御プログラム。
【手続補正２】
【補正対象書類名】明細書
【補正対象項目名】発明の名称
【補正方法】変更
【補正の内容】
【発明の名称】情報処理装置及びアプリケーションの提示方法と制御プログラム、ネットワークシステム
【手続補正３】
【補正対象書類名】明細書
【補正対象項目名】０００６
【補正方法】変更
【補正の内容】
【０００６】
上記目的を達成するために本発明は以下の構成を有する。すなわち、本発明の一側面によれば、
アプリケーションをインストール可能な情報処理装置に、
画像形成装置を選択する選択工程と、
前記選択工程で選択された画像形成装置の情報を取得する取得工程と、
前記取得工程で取得された前記画像形成装置の情報に基づいて、前記画像形成装置用に利用可能なアプリケーションを提示する提示工程と
を実行させるためのプログラムであって、
前記提示工程では、前記情報処理装置にインストールされているアプリケーションを示す表示アイテムとともに、前記情報処理装置にインストールされていないアプリケーションを示す表示アイテムを提示することを特徴とする制御プログラム。
また本発明の他の側面によれば、
アプリケーションをインストール可能な情報処理装置に、
画像形成装置を選択する選択工程と、
選択された画像形成装置が有する機能情報を取得する取得工程と、
前記取得工程で取得された前記画像形成装置が有する機能情報に基づいて、前記画像形成装置用に利用可能なアプリケーションを提示する提示工程と
を実行させるための制御プログラム。